(57)【要約】【課題】  光源の出射面が導光板の入光面に対して平行に対向するように配設することにより、光源の照射光の入光効率の向上を図り、よって表示パネル等に対する照射光の輝度ムラや輝度不足の発生を防止する。【解決手段】  枠体１０の側壁にフレキシブル配線基板２の配置位置を安定させるための係止部材１８を設け、フレキシブル配線基板２に係止部材１８に係止される肩部２ｂを設け、フレキシブル配線基板２の角部１０ｃとの接触点と係止部材１８との係止位置との間にテンションをかける。そして、フレキシブル配線基板２の一端縁の位置を位置規制片２１で規制する。【選択図】            図３
2006066192.tif 000002
【特許請求の範囲】
【請求項１】
その内面に導光板が載置される底壁と該底壁の端縁から立設される側壁とを有する枠体と、
前記底壁の外面に沿って配置されたフレキシブル配線基板とを有し、
前記フレキシブル配線基板は前記側壁の一つが形成されている前記端縁の角部において接触して折曲され、
前記フレキシブル配線基板の折曲された側の一端部分に設けられた光源を具備するライトユニットであって、
前記フレキシブル配線基板が折曲される側壁には前記光源からの光を前記導光板に導く開口が設けられ、
該側壁には前記フレキシブル配線基板の配置位置を安定させるための係止部材が設けられ、前記フレキシブル配線基板には前記係止部材に係止される係止部が設けられ、
前記フレキシブル配線基板には前記角部との接触点と前記係止部材との係止位置との間に張力がかかっており、
該張力によって前記光源の出射面が前記導光板の入射面に平行になるように構成されていることを特徴とするライトユニット。
【請求項２】
前記フレキシブル配線基板の一端部分の位置を規制する位置規制片が前記側壁に形成されている請求項１に記載のライトユニット。
【請求項３】
前記フレキシブル配線基板における前記角部との接触点から前記係止部材との係止位置までの長さ寸法Ｌｆと、前記枠体における前記フレキシブル配線基板との前記接触点から前記係止部との係止位置までの長さ寸法Ｌｗとの関係が、Ｌｆ＝Ｌｗ＋α（０．２ｍｍ≦α≦１．０ｍｍ）である請求項１または２に記載のライトユニット。
【請求項４】
前記枠体における前記フレキシブル配線基板と接触する角部に、突起が設けられている請求項１から３のいずれか１項に記載のライトユニット。
【請求項５】
前記突起が、前記底壁の外面から垂直に突出して形成されている請求項４に記載のライトユニット。
【請求項６】
前記枠体における前記フレキシブル配線基板との接触面が曲線状に形成されている請求項１から５のいずれか１項に記載のライトユニット。
【発明の詳細な説明】
【技術分野】
【０００１】
本発明はライトユニットに係り、特に、液晶表示パネル等の表示パネルに照射光を照射するのに好適なライトユニットに関する。
【背景技術】
【０００２】
一般に、光源から導光板に照射された照射光を用いて、液晶表示パネル等の表示パネルに照射光を照射するライトユニットが用いられている。
【０００３】
一般に用いられるライトユニットの一例を説明すると、導光板が収納される枠体の反収納側にＬＥＤ等の光源が配設されているフレキシブル配線基板を設置し、枠体の側壁に開口された窓枠を介して導光板の入射面に前記光源を対向させるように配置していた。このとき光源と導光板の入射面との位置を規制するため、前記フレキシブル配線基板と側壁とを接着材で固定していたが、一旦固定してしまうと取り外しが難しく、光源位置の微調整ができないという問題があった。この問題に対して、側壁での接着材による固定をなくす手法として次のような改良型のライトユニットの構成が考えられる。
【０００４】
図４は、前記改良型のライトユニットを示す模式的断面図であり、図４に示すように、改良型のライトユニット２５は、導光板２６を有し、導光板２６は枠体２７に収容されている。
【０００５】
また、ライトユニット２５は、長尺のフレキシブル配線基板２９を有しており、このフレキシブル配線基板２９は、一端部分２９ａが幅広であってＴ字状に形成され、係止部の機能を有する肩部２９ｂが形成されている。フレキシブル配線基板２９は、枠体２７の底壁の外面２７ａに沿って配置され、底壁の外面２７ａにおいて両面テープ３１により固定されて設けられている。フレキシブル配線基板２９の一端部分２９ａは、枠体２７の角部２７ｃに接触しながら折曲され、枠体２７の側壁の外面２７ｂにおいて枠体２７から露出されている導光板２６の入射面２６ａに対向するように配置されている。
【０００６】
フレキシブル配線基板２９の一端部分２９ａには、光源としてのＬＥＤ３３が、その照射光の出射面３３ａが導光板２６の入射面２６ａに対向するように設けられており、フレキシブル配線基板２９の一端部分２９ａにおけるＬＥＤ３３の配設面と反対側の面には、補強板３４が配設されている。
【０００７】
前記側壁の外面２７ｂには、フレキシブル配線基板２９の肩部２９ｂを係止可能な係止部材３６が設けられており、フレキシブル配線基板２９は、肩部２９ｂが係止部材３６に係止されることにより、ライトユニット２５において位置ずれなく配置されるようになっている。
【０００８】
さらに、前記側壁の外面２７ｂ側には、フレキシブル配線基板２９における補強板３４が配設された面の一端縁に対向するように接続片３７を介して位置規制片３８が連設されており、位置規制片３８は、フレキシブル配線基板２９の一端縁が枠体２７の外側にはみ出ないよう規制するようになっている。
【０００９】
このライトユニット２５においては、まずフレキシブル配線基板２９を枠体２７の底壁の外面２７ａに固定させた後、フレキシブル配線基板２９の一端部分を折曲する。続いて、フレキシブル配線基板２９の一端縁を側壁の外面２７ｂと位置規制片３８との間に位置させるとともに、肩部２９ｂを係止部材３６に係止させ、ＬＥＤ３３の出射面３３ａを導光板２６の入射面２６ａに対向するように位置させるようにして、フレキシブル配線基板２９を配設する。
【００１０】
そして、このようなライトユニット２５は、ＬＥＤ３３から導光板２６の入射面２６ａに照射光を照射し、この照射光を導光板２６を介して表示パネルに照射するようになっている。
【００１１】
しかし、前述のような改良型のライトユニット２５によれば、フレキシブル配線基板２９を枠体２７の底壁の外面２７ａに両面テープ３１を用いて固定した後、一端部分２９ａを折曲して導光板２６の入射面２６ａに対向するように配設するが、このとき、フレキシブル配線基板２９の一端部分２９ａの長さ寸法が短すぎると、フレキシブル配線基板２９の一端部分２９ａを所定の位置に配設することが困難となってしまう。
【００１２】
また、フレキシブル配線基板２９の一端部分２９ａには補強板３４が配設されており、フレキシブル配線基板２９の一端部分２９ａにおける可撓性が減少するので、フレキシブル配線基板２９の一端部分２９ａの長さ寸法が短いと、フレキシブル配線基板２９の一端部分２９ａを所定の位置に配設することがさらに困難となる。
【００１３】
そこで、容易にフレキシブル配線基板２９の一端部分２９ａを枠体２７の側壁の外面２７ｂと位置規制片３８との間に位置させるとともに、肩部２９ｂを係止部材３６に係止させるようにするため、フレキシブル配線基板２９は、その長さ寸法が過度に長く形成されていた。
【００１４】
このような過度に長尺のフレキシブル配線基板２９をライトユニット２５に用いると、図４に示すように、フレキシブル配線基板２９の一端部分２９ａは、その一端縁が枠体２７の接続片３７に当接し、ＬＥＤ３３の配設面が導光板２６の入射面２６ａに対して傾斜して配設されることとなり、これにともないＬＥＤ３３の出射面３３ａも導光板２６の入射面２６ａに対して傾斜して配設されることとなってしまう。この結果、ＬＥＤ３３からの照射光の導光板２６への入光率が低下し、表示パネルへの照射光の照射に輝度ムラが生じてしまったり、さらには、輝度不足となってしまうおそれがあるという問題を有していた。
【発明の開示】
【発明が解決しようとする課題】
【００１５】
本発明はこれらの点に鑑みてなされたものであり、光源の出射面が導光板の入光面に対して平行に対向するように配設することにより、光源の照射光の入光効率の向上を図り、よって表示パネル等に対する照射光の輝度ムラや輝度不足の発生を防止することができるライトユニットを提供することを目的とする。
【課題を解決するための手段】
【００１６】
前記目的を達成するため、本発明に係るライトユニットの特徴は、その内面に導光板が載置される底壁と該底壁の端縁から立設される側壁とを有する枠体と、前記底壁の外面に沿って配置されたフレキシブル配線基板とを有し、前記フレキシブル配線基板は前記側壁の一つが形成されている前記端縁の角部において接触して折曲され、前記フレキシブル配線基板の折曲された側の一端部分に設けられた光源を具備するライトユニットであって、前記フレキシブル配線基板が折曲される側壁には前記光源からの光を前記導光板に導く開口が設けられ、該側壁には前記フレキシブル配線基板の配置位置を安定させるための係止部材が設けられ、前記フレキシブル配線基板には前記係止部材に係止される係止部が設けられ、前記フレキシブル配線基板には前記角部との接触点と前記係止部材との係止位置との間に張力がかかっており、該張力によって前記光源の出射面が前記導光板の入射面に平行になるように構成されている点にある。
【００１７】
また、前記本発明において、前記フレキシブル配線基板の一端部分の位置を規制する位置規制片が前記側壁に形成されていることが好ましく、前記フレキシブル配線基板における前記角部との接触点から前記係止部材との係止位置までの長さ寸法Ｌｆと、前記枠体における前記フレキシブル配線基板との前記接触点から前記係止部との係止位置までの長さ寸法Ｌｗとの関係が、Ｌｆ＝Ｌｗ＋α（０．２ｍｍ≦α≦１．０ｍｍ）であることがさらに好ましい。
【００１８】
また、前記本発明において、前記枠体における前記フレキシブル配線基板と接触する角部に、突起が設けられていてもよく、さらに、前記突起が、前記角部のうち前記フレキシブル配線基板が沿って配置されている一面から垂直に突出して形成されていてもよい。
【００１９】
さらにまた、前記枠体における前記フレキシブル配線基板との接触面が曲線状に形成されていることが好ましい。
【００２０】
本発明によれば、フレキシブル配線基板が、枠体との係止位置から枠体との接触点までの間にテンションがかかった状態に保持されるので、フレキシブル配線基板の一端部分における光源の配設面を枠体の側壁に対して平行に配設することができる。これにより、光源からの照射光を導光板に効率よく入射することができる。
【００２１】
また、フレキシブル配線基板の一端部分を枠体の外側にはみ出させないように規制する位置規制片を側壁に形成することで、確実に光源、例えばＬＥＤの出射面を導光板の入射面に対して平行に配設することができる。
【００２２】
さらに、枠体におけるフレキシブル配線基板との接触面を曲線状に形成することにより、フレキシブル配線基板における枠体と接触する面が損傷してしまうことを防止することができる。
【００２３】
さらにまた、枠体に突起を設けて、フレキシブル配線基板における枠体との接触点から係止部材との係止位置までの長さ寸法Ｌｆと、枠体におけるフレキシブル配線基板との接触点から両肩部との係止位置までの長さ寸法Ｌｗとを、所定の前記関係とすることにより、フレキシブル配線基板自体の長さ寸法を調整する場合と比較して、コストの低廉化を図ることができる。
【発明の効果】
【００２４】
以上述べたように、本発明に記載の発明に係るライトユニットによれば、フレキシブル配線基板を容易に枠体に配設することができるとともに、光源からの照射光を導光板に効率よく入射することにより、導光板への入光率を向上させることができ、この結果、表示パネル等に効率よく照射光を照射し、輝度ムラや輝度不足の発生を防止することができる。
【発明を実施するための最良の形態】
【００２５】
以下、本発明に係るライトユニットの実施形態を図１から図３を参照して説明する。
【００２６】
ここで、本実施形態においては、液晶表示パネルに照射光を照射するライトユニットを用いて説明する。
【００２７】
図１は、本実施形態に係るライトユニットを示す模式的斜視図、図２は、図１を矢印Ａから視認した場合を示す模式的側面図、図３は、図１のＢ−Ｂにおける模式的断面図である。
【００２８】
図１、図２および図３に示すように、本実施形態のライトユニット１は、長尺のフレキシブル配線基板２を有しており、フレキシブル配線基板２は、一端部分２ａが中央部分と比較して幅広に形成され、フレキシブル配線基板２の一端部分２ａはＴ字状に形成されている。そして、フレキシブル配線基板２の一端部分２ａにおける幅広の肩部２ｂは、係止部として機能するようになっている。
【００２９】
フレキシブル配線基板２の一端部分２ａには、光源としてのＬＥＤ４が設けられており、フレキシブル配線基板２の一端部分２ａにおけるＬＥＤ４の配設面と反対側の面には、補強板５が配設されている。
【００３０】
また、ライトユニット１は、液晶表示パネル７の反視認側の面に開口部９が対向するように配設された箱状の枠体１０を有し、枠体１０は、導光板１１が載置される平板状の底壁と底壁の端縁から立設される４つの側壁とから形成されている。枠体１０の内部には、平板状の導光板１１が収容され、導光板１１における液晶表示パネル７側の視認側の面には、光拡散シート１２が積層して配設されている。枠体１０の一側壁には、ＬＥＤ４からの光を導光板１１に導く開口が設けられている。そして、導光板１１における照射光が入射される入射面１１ａは、枠体１０の一側壁において枠体１０から露出されるようになっている。
【００３１】
枠体１０の底壁と前記開口が形成された側壁との角部１０ｃには、底壁の外面１０ａから外側（反視認側）に突出するように突起１４が形成されており、この突起１４は、突出面が曲線状となるように断面形状が半円形状に形成されている。
【００３２】
フレキシブル配線基板２は、この枠体１０の底壁の外面１０ａに沿って配置され、両面テープ１６を用いてフレキシブル配線基板２の一面と枠体１０の底壁の外面１０ａとを接着することにより枠体１０に固定されている。フレキシブル配線基板２の一端部分２ａは、枠体１０における前記角部１０ｃにおいて突起１４の突出面に接触しながら枠体１０の側壁の外面１０ｂ側に折曲され、枠体１０の側壁の外面１０ｂにおいて、ＬＥＤ４の出射面４ａが導光板１１の入射面１１ａに対向するように配置されている。
【００３３】
また、枠体１０の側壁の外面１０ｂのうちフレキシブル配線基板２の両肩部２ｂに対向する位置の近傍であって、前記両肩部２ｂに対向する位置よりも反視認側には、両肩部２ｂを係止するための係止部材１８が側壁の外面１０ｂから突出して形成されている。
【００３４】
ここで、フレキシブル配線基板２は、角部１０ｃとの接触点と係止部材１８との係止位置との間で張力がかかっており、ＬＥＤ４の出射面４ａと導光板１１の入射面１１ａとが平行になるように対向配置されている。また、フレキシブル配線基板２および枠体１０は、フレキシブル配線基板２における枠体１０の突起１４との接触点から枠体１０の係止部材１８との係止位置までの長さ寸法Ｌと、枠体１０における突起１４とフレキシブル配線基板２との接触点からフレキシブル配線基板２の係止部との係止位置までの長さ寸法Ｌ’との関係が、Ｌｆ＝Ｌｗ＋αであって、０．２ｍｍ≦α≦１．０ｍｍとなるように形成されている。
【００３５】
さらに、枠体１０の側壁には、フレキシブル配線基板２の一端部分が上記フレキシブル配線基板２にかかる張力によって、枠体の外側にはみ出ないように位置を規制する位置規制片２１が接続片２０を介して連設されている。
【００３６】
そして、枠体１０は、係止部材１８によってフレキシブル配線基板２の肩部２ｂを係止するとともに、位置規制片２１によってフレキシブル配線基板２の一端縁を支持することにより、フレキシブル配線基板２を安定して保持することができるようになっている。
【００３７】
次に、本実施形態の作用について説明する。
【００３８】
このライトユニット１にフレキシブル配線基板２を配設する場合、まず、フレキシブル配線基板２を枠体１０の底壁の外面１０ａに配置し、両面テープ１６を用いてフレキシブル配線基板２を枠体１０の底壁の外面１０ａに接着し、枠体１０においてフレキシブル配線基板２を固定させる。続いて、フレキシブル配線基板２の一端部分２ａを枠体１０の突起１４に接触させながら、枠体１０の側壁の外面１０ｂ側に折曲させた後、フレキシブル配線基板２の一端縁を枠体１０の側壁の外面１０ｂと位置規制片２１との間に位置させるとともに、両肩部２ｂを両係止部材１８に係止させて、フレキシブル配線基板２にテンションをかける。そして、ＬＥＤ４の出射面４ａを導光板１１の入射面１１ａに対向するように位置させる。
【００３９】
このとき、このライトユニット１においては、フレキシブル配線基板２における枠体１０との接触点から係止部材１８との係止位置までの長さ寸法Ｌｆは、枠体１０におけるフレキシブル配線基板２との接触点から両肩部２ｂとの係止位置までの長さ寸法Ｌｗと比較して０．２ｍｍ以上となっている。このため、フレキシブル配線基板２の一端部分２ａを角部１０ｃにおいて折曲した後、容易にフレキシブル配線基板２の一端縁を枠体１０の側壁の外面１０ｂと位置規制片２１との間に位置させて、両肩部２ｂを両係止部材１８に係止させることができる。
【００４０】
また、フレキシブル配線基板２における長さ寸法Ｌｆは、枠体１０における長さ寸法Ｌｗと比較して１．０ｍｍ以下となっているので、枠体１０の側壁の外面１０ｂに対向するように位置させたフレキシブル配線基板２の一端部分２ａにおけるＬＥＤ４の配設面が導光板１１の入射面１１ａに対して傾斜して配設されることを防止することができる。この結果、フレキシブル配線基板２を、枠体１０の側壁の外面１０ｂにおいてＬＥＤ４の出射面４ａを導光板１１の入射面１１ａに対して平行となるように配設することができる。
【００４１】
このように、本実施形態によれば、容易にフレキシブル配線基板２の一端縁を枠体１０の側壁の外面１０ｂと位置規制片２１との間に位置させて、両肩部２ｂを両係止部材１８に係止させることができるとともに、フレキシブル配線基板２の一端部分２ａにおけるＬＥＤ４の配設面を枠体１０の側壁の外面１０ｂに対して平行に配設することができる。これにより、ＬＥＤ４の出射面４ａを導光板１１の入射面１１ａに対して平行に配設することができるので、ＬＥＤ４からの照射光を導光板１１に効率よく入射することができる。
【００４２】
したがって、導光板１１への入光率を向上させることができ、この結果、液晶表示パネル７に効率よく照射光を照射し、輝度ムラや輝度不足の発生を防止することができる。
【００４３】
そして、フレキシブル配線基板２の角部１０ｃとの接触点と係止部材１８との係止位置との間に張力をかけ過ぎると、枠体１０からフレキシブル配線基板２の一端縁がはみ出すことが考えられるが、位置規制片２１によって効果的にはみ出しを防止することができる。さらに、位置規制片２１によって導光板１１の入射面１１ａとＬＥＤ４の出射面４ａとを簡便に平行に保つことができる。
【００４４】
また、枠体１０における突起１４の突出面、すなわちフレキシブル配線基板２との接触面が曲線状に形成されているので、枠体１０の突起１４に接触したフレキシブル配線基板２が損傷してしまうことを防止することができ、ライトユニット１の長寿命化を図ることができる。
【００４５】
さらに、本実施形態においては、枠体１０に突起１４を設けることにより、フレキシブル配線基板２における枠体１０との接触点から係止部材１８との係止位置までの長さ寸法Ｌｆと、枠体１０におけるフレキシブル配線基板２との接触点から両肩部２ｂとの係止位置までの長さ寸法Ｌｗとの関係がＬｆ＝Ｌｗ＋αであって、０．２ｍｍ≦α≦１．０ｍｍとなるようにしている。これにより、フレキシブル配線基板２自体の長さ寸法を、調整する場合と比較して、コストの低廉化を図ることができる。
【００４６】
なお、本発明は前記実施形態に限定されるものではなく、必要に応じて種々変更することが可能である。
【００４７】
例えば、本実施形態においては、枠体１０の底壁と側壁との角部１０ｃにおいて底壁の外面１０ａから突出する突起１４を形成することにより、フレキシブル配線基板２における長さ寸法Ｌｆと枠体１０における長さ寸法Ｌｗとの関係を調整しているが、これに限定されるものではない。例えば、枠体１０に突起１４を形成せずフレキシブル配線基板２自体の長さ寸法を調整したり、または前記角部１０ｃにおいて側壁の外面１０ｂから突出する突起１４を形成することにより、フレキシブル配線基板２における長さ寸法Ｌｆと枠体１０における長さ寸法Ｌｗとの関係を調整するようにしてもよい。
【図面の簡単な説明】
【００４８】
【図１】本発明に係るライトユニットの一実施形態を示す模式的斜視図
【図２】図１を矢印Ａから視認した場合を示す模式的側面図
【図３】図１のＢ−Ｂにおける模式的断面図
【図４】従来のライトユニットの一例を示す模式的断面図
【符号の説明】
【００４９】
１  ライトユニット
２  フレキシブル配線基板
２ａ  一端部分
２ｂ  肩部
４  ＬＥＤ
４ａ  出射面
５  補強板
７  液晶表示パネル
１０  枠体
１０ａ  底壁の外面
１０ｂ  側壁の外面
１０ｃ  角部
１１  導光板
１１ａ  入射面
１４  突起
１６  両面テープ
１８  係止部材
２１  位置規制片
【図１】
2006066192.tif 000003
【図２】
2006066192.tif 000004
【図３】
2006066192.tif 000005
【図４】
2006066192.tif 000006